(57)【要約】【課題】光ディスクを、確実に、かつ容易に保持して取り出すことができ、汚れや傷により記録データが損傷を受けることのないないディスクカートリッジを提供する。【解決手段】この発明のディスクカートリッジ１１０は、光ディスクをカートリッジから容易に取り出し可能、且つ容易に挿入可能に保持するために、光ディスクの一方の表面と対向された主壁１１１と、主壁の周縁に設けられた側壁１１２と、光ディスクＤを主壁１１１との間に挟み込むように側壁１１２からに延出されたディスクホールディング爪１１３Ａ，１１３Ｂおよびハンドリング用領域１４とを有する。【選択図】    図２
2004213757.tif 000002
【特許請求の範囲】
【請求項１】
記録面を有するディスク状記録媒体を、回転自在に収容でき、且つ、取り出しおよび挿入可能で、上記記録媒体が挿入された状態で、記録／再生装置に対して所定の方向から挿入可能なディスクカートリッジであって、
上記記録媒体の記録面と対向可能に形成された主壁と、
前記主壁に設けられた開口部と、
前記主壁の周縁部から延出され、上記記録媒体の周囲の少なくとも一部を覆う側壁と、
上記記録媒体を挟み込むように前記側壁から前記主壁に平行に延出された少なくとも１つの記録媒体落下防止部材と、
上記記録媒体の記録面に接することを抑止可能に形成された少なくとも１つのカートリッジ保持用突出領域と、
を有するディスクカートリッジ。
【請求項２】
前記側壁には、概ね直交する方向に少なくとも２カ所、切り欠き部が設けられ、少なくとも１つの上記切り欠き部が前記開口部の開口の長手方向と概ね等しい方向に向けられていることを特徴とする請求項１記載のディスクカートリッジ。
【請求項３】
前記カートリッジ保持用突出領域は、前記開口部の所定の位置を対称点として、上記切り欠き部が設けられる方向と逆の方向の前記側壁上に、上記切り欠き部に対向して設けられていることを特徴とする請求項２記載のディスクカートリッジ。
【請求項４】
前記記録媒体落下防止部材と前記カートリッジ保持用突出領域の上記記録媒体の記録面に面する側に、上記記録媒体の記録面に不所望な傷が発生することを抑止可能な部材が配置され、またはコーティングが施されていることを特徴とする請求項１ないし３のいずれかに記載のディスクカートリッジ。
【請求項５】
前記記録媒体落下防止部材は、複数設けられることを特徴とする請求項１ないし３記載のディスクカートリッジ。
【請求項６】
前記主壁の前記記録媒体落下防止部材および前記カートリッジ保持用突出領域の少なくとも１つと対向される領域には、成型装置の動作方向の定義に利用可能なクリアランス部が設けられていることを特徴とする請求項１ないし５のいずれかに記載のディスクカートリッジ。
【請求項７】
前記主壁、前記側壁、前記記録媒体落下防止部材および前記カートリッジ保持用突出領域は、同時に成型されることを特徴とする請求項１ないし５のいずれかに記載のディスクカートリッジ。
【請求項８】
前記記録媒体落下防止部材は、上記記録媒体が挿入され、または離脱される際に一時的に変形可能であることを特徴とする請求項１ないし７のいずれかに記載のディスクカートリッジ。
【請求項９】
開口部を有し、記録媒体の記録面に対して上記開口部とその周囲の領域が対向可能に形成されたカバー部材と、
このカバー部材の周囲から所定の高さに延出された側壁部と、
この側壁部から前記カバー部材に対して概ね平行に延出され、上記記録媒体の記録面に接することを抑止可能に形成された少なくとも１つのカートリッジ保持用突出領域と、
前記側壁部から前記カバー部材に対して概ね平行に延出され、前記カバー部材と前記側壁部とにより定義される空間から上記記録媒体が離脱することを抑止可能に形成された少なくとも１つのガイド部材と、
を有することを特徴とするディスクカートリッジ。
【請求項１０】
前記ガイド部材と前記カートリッジ保持用突出領域の上記記録媒体の記録面に面する側に、上記記録媒体の記録面に不所望な傷が発生することを抑止可能な部材が配置され、またはコーティングが施されていることを特徴とする請求項９記載のディスクカートリッジ。
【請求項１１】
前記ガイド部材は、複数設けられることを特徴とする請求項９および１０記載のディスクカートリッジ。
【請求項１２】
前記カバー部材の前記ガイド部材および前記カートリッジ保持用突出領域の少なくとも１つと対向される領域には、成型装置の動作方向の定義に利用可能なクリアランス部が設けられていることを特徴とする請求項９ないし１１のいずれかに記載のディスクカートリッジ。
【請求項１３】
前記カバー部材、前記側壁、前記ガイド部材および前記カートリッジ保持用突出領域は、同時に成型されることを特徴とする請求項９ないし１２のいずれかに記載のディスクカートリッジ。
【請求項１４】
前記ガイド部材は、上記記録媒体が挿入され、または離脱される際に一時的に変形可能であることを特徴とする請求項９ないし１３のいずれかに記載のディスクカートリッジ。
【請求項１５】
内部に収容した記録媒体の記録面を露出可能とする開口部が設けられた平面部と、
この平面部の周囲に一体に形成され、前記平面部とにより定義される空間に、上記記録媒体を収容可能とする壁面部と、
この壁面部の一部に設けられた切り欠き部と、
前記壁面部から前記平面部と概ね平行に少なくとも２つ設けられ、上記空間に上記記録媒体が収容された状態で、上記記録媒体が上記空間から外部に出ることおよび上記記録媒体の記録面に接することを抑止できる突起部材と、
を有することを特徴とするディスクカートリッジ。
【発明の詳細な説明】
【０００１】
【発明の属する技術分野】
この発明は、複雑な組立工程が不要で、収容されているディスク媒体を容易に取り出しでき、また容易に収納可能なディスクカートリッジに関する。
【０００２】
【従来の技術】
例えば、音楽ＣＤ等に代表される一般的な再生専用の光ディスクは、保存状態では、外装ケースに収納されている場合もあるが、再生装置への挿入、取り出し時等に際しては、光ディスク単体で取り扱われる。
【０００３】
このため、再生装置のローディング機構も光ディスク単体でのローディングを想定して構成されている。
【０００４】
なお、情報の書き込みが可能なＣＤ−Ｒ／ＲＷ等の光ディスクについても、再生専用のディスク装置でデータを再生する場合には、カートリッジから取り出されて、ＣＤと同様に光ディスク単体で取り扱われている。
【０００５】
再生専用の光ディスクは、ケースに収納されている場合、光ディスクに固有の中心孔により、所定の位置に所定の位置関係が維持された状態で保持される。すなわち、光ディスクの記録面は、ケース内面のどの位置にも接触することのないように、ケース内面に対して所定の位置関係で支持されている。
【０００６】
このため、利用者が光ディスクをケースから取り出そうとする場合は、ケース内部で所定の位置関係が維持されている光ディスクのエッジ部分が（利用者により）支持される。
【０００７】
ところで、データの記録または書き換えが可能な光ディスクは、一般に、再生専用の光ディスクよりも、傷や、汚れに対するデータ記録再生の信頼性が低い。
【０００８】
そのため、記録または書き換えが可能な光ディスクは、記録／再生装置内に、光ディスクと同時にローディングされるカートリッジ内に収容されることで保護された状態で取り扱われる。
【０００９】
光ディスクを内部に収容したまま、記録／再生装置内にセットされるディスクカートリッジとして、扁平なベース部（下ケース４）とベース部に介して開閉自在に取り付けられた扁平なカバー部（上ケース３）とを備え、ベース部とカバー部との間に光ディスク２が収納されるカートリッジ１が既に提案されている。
【００１０】
カートリッジのカバー部を開くことにより、中の光ディスク２を取り出すことができる（例えば、特許文献１参照）。
【００１１】
【特許文献１】
特開平９−２１３０４２号公報（要約書、図１、段落［００１４］
【００１２】
【発明が解決しようとする課題】
ところで、ハンディビデオカメラ等における記録装置として光ディスク装置が用いられている場合、光ディスクを屋外で取り扱う機会が多くなる。このため、記録面に（利用者が）直接触れることなく光ディスクを取り扱うためには、ディスクカートリッジが必須となる。
【００１３】
カートリッジ対応型の光ディスク装置を用いて光ディスクを再生する場合、光ティスクは、カートリッジに収納された状態でディスク装置に装填される。
【００１４】
従って、カートリッジは、ディスク装置のローディング機構によって所定位置にローディングされ、記録再生のための光ピックアップヘッドは、カートリッジに形成されたアクセス窓を介して光ディスクの記録面にアクセスされる。
【００１５】
なお、ビデオカメラ等に利用される光ディスクにおいては、再生時に、カートリッジ非対応の光ディスク装置により再生する場合も考えられる。従って、この場合には、光ディスクがカートリッジから取り出し可能で、光ディスク単体で、取り扱えることが求められる。
【００１６】
カートリッジに収容されている光ディスクを取り出す方法としては、上述したようなディスクカートリッジにおいては、カバー部を開いた状態でカートリッジ全体をひつくり返して、もう一方の手で光ディスクを受け取るか、あるいは記録面を避けて、光ディスクの中心孔に指を入れるか、光ディスクのエッジ部を支持して取り出すことが一般的である。
【００１７】
しかしながら、上述したようなディスクカートリッジでは、光ディスクを取り出すための一連の動作として、カバー部を開ける必要がある。また、カバー部が開いた状態を維持しつつ、光ディスクをカートリッジから取り出すことになる。
【００１８】
このような、カバー部を開けた状態を維持しながら光ディスクを取り出す動作は、ハンディビデオカメラで発生する屋外使用時等において、特に、光ディスクの落下等が生じやすい問題がある。
【００１９】
また、カバー部を開けた状態で光ディスクを取り出す動作は、利用者とって、かなり緊張を要するわずらわしい作業であり、ディスク面に指紋や傷等が生じる要因である。
【００２０】
この発明の目的は、内部に収容されているディスク媒体を、確実に、かつ容易に取り出すことができ、記録データの損失等を抑止可能なディスクカートリッジを提供することにある。
【００２１】
【課題を解決するための手段】
この発明は、記録面を有するディスク状記録媒体を、回転自在に収容でき、且つ、取り出しおよび挿入可能で、上記記録媒体が挿入された状態で、記録／再生装置に対して所定の方向から挿入可能なディスクカートリッジであって、上記記録媒体の記録面と対向可能に形成された主壁と、前記主壁に設けられた開口部と、前記主壁の周縁部から延出され、上記記録媒体の周囲の少なくとも一部を覆う側壁と、上記記録媒体を挟み込むように前記側壁から前記主壁に平行に延出された少なくとも１つの記録媒体落下防止部材と、上記記録媒体の記録面に接することを抑止可能に形成された少なくとも１つのカートリッジ保持用突出領域と、を有するディスクカートリッジを提供するものである。
【００２２】
またこの発明は、開口部を有し、記録媒体の記録面に対して上記開口部とその周囲の領域が対向可能に形成されたカバー部材と、このカバー部材の周囲から所定の高さに延出された側壁部と、この側壁部から前記カバー部材に対して概ね平行に延出され、上記記録媒体の記録面に接することを抑止可能に形成された少なくとも１つのカートリッジ保持用突出領域と、前記側壁部から前記カバー部材に対して概ね平行に延出され、前記カバー部材と前記側壁部とにより定義される空間から上記記録媒体が離脱することを抑止可能に形成された少なくとも１つのガイド部材と、を有することを特徴とするディスクカートリッジを提供するものである。
【００２３】
さらにこの発明は、内部に収容した記録媒体の記録面を露出可能とする開口部が設けられた平面部と、この平面部の周囲に一体に形成され、前記平面部とにより定義される空間に、上記記録媒体を収容可能とする壁面部と、この壁面部の一部に設けられた切り欠き部と、前記壁面部から前記平面部と概ね平行に少なくとも２つ設けられ、上記空間に上記記録媒体が収容された状態で、上記記録媒体が上記空間から外部に出ることおよび上記記録媒体の記録面に接することを抑止できる突起部材と、を有することを特徴とするディスクカートリッジを提供するものである。
【００２４】
【発明の実施の形態】
以下、図面を参照して、この発明の実施の形態について詳細に説明する。
【００２５】
図１ないし図３は、ディスクカートリッジの第１の例を示す概略図である。なお、図１は、ディスクカートリッジ単体を、図２は、図１に示したディスクカートリッジに光ディスクが装填されている状態を、図３は、ディスクカートリッジから光ディスクを取り出す際の取り出し方向を、それぞれ、示している。
【００２６】
図１ないし図３に示すように、情報の記録および再生が可能な記録媒体である光ディスクＤを収容可能なディスクカートリッジ１１０は、ベース部として機能する主壁１１１と、主壁１１１の周縁部に設けられた側壁１１２と、主壁１１１と側壁１１２により定義される空間に挿入される光ディスクＤ（図２参照）を、主壁１１１側との間で保持可能に形成されたディスクホールディング爪１１３、第１および第２のハンドリング用突出部１１４Ａ，１１４Ｂおよび図示しないがディスクドライブ装置（記録／再生装置）にセットされた際にディスクドライブ装置側から光ピックアップすなわち光ヘッドによるアクセスすなわち情報の記録および再生を可能とするともに、光ディスクＤを保持して所定速度で回転させるディスクモータ（およびディスクホルダ）と光ディスクＤとが接することを回避することのできるピックアップ向け開口部１１５とからなる。
【００２７】
側壁１１２の所定の位置には、ディスクカートリッジ１１０がディスクドライブ装置に装着され、またはディスクドライブ装置から取り出される際にディスクドライブ装置側の構造物と不所望に接触することを低減可能な切り欠き部（または壁の高さが制限されている壁高抑制部）１１２Ａおよび１１２Ｂが形成されている。なお、切り欠き部１１２Ａおよび１１２Ｂは、それぞれ、主壁１１１の中心から概ね９０°の角度に、設けられている。また、切り欠き部１１２Ａおよび１１２Ｂのいずれか一方は、開口部１１５の長手方向の中心線と概ね平行な方向が切り欠かれている（壁高が抑えられている）。
【００２８】
ディスクホールディング爪１１３は、側壁１１２の切り欠き部１１２Ａおよび１１２Ｂに沿ってディスクカートリッジがディスクドライブ装置に装着される際に、またはディスクドライブ装置から取り出される際（以下、着脱と略称する）に、光ディスクＤがカートリッジ１１０から落下することを抑止可能で、かつ、カートリッジ１１０の着脱に影響を与えないよう、２つの切り欠き部１１２Ａと１１２Ｂとのなす角の概ね中間の角度に形成される。
【００２９】
すなわち、ホールディング爪１１３は、開口部１１５の長手方向の中心線に対して概ね４５°の角度に、自身の作用部１１３ａが延出されている。また、作用部１１３ａを支持する弾性部１１３ｂは、主壁１１１との間に所定の間隔で、内部に装填される光ディスクＤと不所望に接することのないよう、側壁１１２の所定の位置から延出されている。なお、弾性部１１３ｂには、カートリッジ１１０から光ディスクＤが取り出される際に、または光ディスクＤが装填される際に、光ディスクＤが作用部１１３ａに接触したとしても光ディスクＤの任意の位置に不所望な圧力を与えることのないよう、作用部１１３ａを変位可能な弾性が与えられている。
【００３０】
ハンドリング用突出部１１４Ａ，１１４Ｂは、カートリッジ１１０が図示しない記録／再生装置に装填され、または記録／再生装置からカートリッジ１１０が取り出される際に、利用者の指が内部の光ディスクＤに触れることを抑止可能で、しかも利用者がカートリッジ１１０を確実に保持可能に形成されている。
【００３１】
ハンドリング用突出部１１４Ａ，１１４Ｂは、主壁１１１の概ね中心を対象軸として、切り欠き部１１２Ａおよび１１２Ｂのそれぞれと対向する側に設けられている。なお、ハンドリング用突出部１１４Ａ，１１４Ｂと主壁１１１との間の間隔は、ディスクホールディング爪１１３と主壁１１１との間の間隔と実質的に等しい。
【００３２】
換言すると、ディスクカートリッジ１１０は、記録媒体Ｄの記録面と対向可能に形成された主壁１１１と、主壁１１１に設けられた開口部１１５と、主壁１１１の周縁部から延出され、記録媒体Ｄの周囲の少なくとも一部を覆うとともに、記録／再生装置側の構造体と接することを低減可能な切り欠き部または高さの抑制された壁高抑制部１１２Ａ，１１２Ｂが形成された側壁１１２と、記録媒体Ｄを挟み込むように側壁１１２から主壁１１１に平行に延出された少なくとも１つの記録媒体落下防止部材１１３と、記録媒体Ｄの記録面に接することを抑止可能に形成された少なくとも１つのカートリッジ保持用突出領域１１４と、を含む。
【００３３】
より詳細には、主壁１１１は、光ディスクＤの径よりも僅かに大きな内径に形成され、側壁１１２ならびにハンドリング用突出部１１４Ａ，１１４Ｂと主壁１１１との間の距離は、光ディスクＤの厚さよりも大きな高さに形成されている。従って、光ディスクＤは、主壁１１１上で側壁１１２の内側に定義される空間内に、僅かな隙間を介在させた状態で、所定の方向に移動または回転可能に、収納（装填）される。
【００３４】
ディスクホールディング爪１１３は、カートリッジ１１０が任意の方向に傾けられた場合であっても、主壁１１１と側壁１１２とにより定義される空間に位置される光ディスクＤが、カートリッジ１１０（空間）から脱落することを抑止可能である。
【００３５】
ディスクホールディング爪１１３、ハンドリング用突出部１１４Ａ，１１４Ｂおよび開口部１１５は、例えばインジェクション成型により、１ピースとして、カートリッジ１１０と一体に、かつ同一行程で形成可能である。
【００３６】
なお、カートリッジ１１０の主壁１１１と側壁１１２とにより定義される空間は、例えば直径が約８０ｍｍで、厚さが約１．２ｍｍであり、例えば携帯可能なビデオカメラ等に利用される光ディスクＤを収容できる。
【００３７】
上述のディスクカートリッジ１１０によれば、図３に示す「ディスク取り出し方向」に光ディスクＤをスライドさせることで、カートリッジ１１０から光ディスクＤを取り出すことができる。光ディスクＤをディスクカートリッジ１１０にセット（装填）する場合は、図３に示す矢印（ディスク取り出し方向）の逆方向に、光ディスクＤをスライドさせることで、光ディスクＤを、主壁１１１と側壁１１２とにより定義される空間に、容易に装着できる。
【００３８】
なお、光ディスクＤをディスクカートリッジ１１０から取り出す、またはディスクカートリッジ１１０に光ディスクＤを装填する、いずれの場合においても、側壁１１２と一体的に形成されているディスクホールディング爪１１３と第１および第２のハンドリング用突出部１１４Ａ，１１４Ｂにより、光ディスクＤが主壁１１１と側壁１１２とにより定義される空間から不所望に落下（離脱）することが抑止でき、特に屋外で光ディスクＤを交換する場合等において、記録データに損傷が生じ、または記録されている情報の信頼性が低下されることが防止できる。また、光ディスクＤの記録面には通常、ハードコーティングが施されているので、一般的な使用条件では、記録面とディスクホールディング爪１１３、またはハンドリング用突出部１１４Ａ，１１４Ｂもしくはその両方と接触したとしても、光ディスクＤに記録されている情報に悪影響が生じることはほとんどない。
【００３９】
また、図４に示すように、主壁１１１、側壁１１２、ディスクホールディング爪１１３あるいはハンドリング部１１４Ａ，１１４Ｂおよびそれらにより定義される空間で光ディスクＤの記録面と接する可能性のある領域１１６は、例えば不織布または合成皮革等を貼り付けられることで、もしくは光ディスクＤの記録面に傷が生じることを防止可能な材料がコーティングまたは塗布されることにより、光ディスクＤに不所望な傷が発生することが、確実に抑止できる。なお、カートリッジ１１０を成型する際に、光ディスクＤの記録面が接する可能性のある領域に、予め植毛加工を施してもよいことはいうまでもない。
【００４０】
また、図５に示すように、ディスクホールディング爪１１３が設けられる位置に対向される主壁１１１に、成型時の金型、特に入れ子の動作方向を定義する抜き（クリアランス部）１１７を設けることで、成型用に用いられる金型の自由度が増大でき、図示しない成型装置のコストを低減できる。また、ハンドリング部に対応する主壁１１１についてもクリアランス部を設けることは可能であるが、ハンドリング部１１４Ａ，１１４Ｂには、利用者の指が光ディスクＤに触れることを抑止可能な大きさが必要とされることから、クリアランス部（抜き）の大きさが、不所望に大きくなる虞れがある。このため、クリアランス部の大きさおよび個数は、金型の自由度とコストに応じて、任意に設定される。
【００４１】
図６ないし図８は、ディスクカートリッジの別の例を示す概略図である。なお、図６は、ディスクカートリッジ単体を、図７は、図２に示したディスクカートリッジに光ディスクが装填されている状態を、図８は、ディスクカートリッジから光ディスクを取り出す際の取り出し方向を、それぞれ、示している。また、図１ないし図３に示した構成と同じ構成もしくは類似した構成には、１００を加算した符号を付して、詳細な説明を省略する。
【００４２】
図６ないし図８に示すように、情報の記録および再生が可能な記録媒体である光ディスクＤを収容可能なディスクカートリッジ２１０は、ベース部として機能する主壁２１１と、主壁２１１の周縁部に設けられた側壁２１２と、主壁２１１と側壁２１２により定義される空間に挿入される光ディスクＤ（図７参照）を、主壁２１１側との間で保持可能に形成された第１および第２のディスクホールディング爪２１３Ａ，２１３Ｂ、ハンドリング用突出部２１４ならびに図示しないディスクモータおよび図示しない光ピックアップが光ディスクＤとが接することを回避することのできる開口部２１５とからなる。
【００４３】
側壁２１２の所定の位置には、ディスクカートリッジ２１０がディスクドライブ装置に装着され、またはディスクドライブ装置から取り出される際にディスクドライブ装置側の構造物と不所望に接触することを低減可能な切り欠き部（または壁の高さが制限されている壁高抑制部）２１２ａが形成されている。なお、切り欠き部２１２ａは、開口部２１５の長手方向の中心線と概ね直交する方向に設けられる。
【００４４】
第１および第２のディスクホールディング爪２１３Ａ，２１３Ｂは、開口部２１５の長手方向の中心線と概ね直交する方向に、開口部２１５の長手方向の中心線を対称軸として概ね対称となる側壁２１２の２カ所に設けられている。なお、側壁２１２の近傍まで開口部２１５が形成されている側のホールディング爪２１３Ｂは、開口部２１５の機能に影響を及ぼすことないよう、反対側のホールディング爪２１３Ａに比べて、主壁２１１と平行な方向の長さが制限されている。
【００４５】
ハンドリング用突出部２１４は、カートリッジ２１０が図示しない記録／再生装置に装填され、または記録／再生装置からカートリッジ２１０が取り出される際に利用者の指が内部の光ディスクＤに触れることを抑止可能で、しかも利用者がカートリッジ２１０を確実に保持可能に形成されている。なお、ハンドリング用突出部２１４は、一例を示すと、開口部２１５の概ね中心と側壁２１２の切り欠き部２１２ａとを結ぶ軸線の延長上に、設けられている。また、ハンドリング用突出部２１４と主壁２１１との間の間隔は、ディスクホールディング爪２１３Ａおよび２１３Ｂのそれぞれと主壁２１１との間の間隔と実質的に等しい。
【００４６】
すなわち、ディスクカートリッジ２１０（１１０）は、記録媒体（光ディスクＤ）の記録面と記録／再生装置側の構造物とを対向可能とする開口部２１５（１１５）が設けられた平面部２１１（１１１）と、平面部２１１（１１１）の周囲に平面部２１１（１１１）と一体に形成され、平面部２１１（１１１）とにより定義される空間に、記録媒体を収容可能とする壁面部２１２（１１２Ａ，１１２Ｂ）と、壁面部２１２（１１２）の一部に、記録／再生装置への挿入および記録／再生装置からの離脱の際に、記録／再生装置側の任意の部分と接触することを抑止可能に設けられた切り欠き部または壁面の高さが低減された壁高抑制部２１２ａ（１１２Ａ，１１２Ｂ）と、壁面部２１２（１１２）から平面部２１１（１１１）と概ね平行に少なくとも２つ設けられ、平面部２１１（１１１）と壁面部２１２（１１２）とにより定義される空間に記録媒体が収容された状態で、記録／再生装置への挿入および記録／再生装置からの離脱の際に、記録媒体が平面部２１１（１１１）と壁面部２１２（１１２）とにより定義される空間から外部に出ることおよび記録媒体の記録面に接することを抑止できる突起部材２１３Ａ，２１３Ｂおよび２１４の少なくとも１つと、を含む。
【００４７】
なお、ディスクホールディング爪２１３Ａ，２１３Ｂ、ハンドリング用突出部２１４および開口部２１５は、図１ないし３を用いて前に説明したカートリッジと同様に、例えばインジェクション成型により、１ピースとして、カートリッジ２１０と一体に、かつ同一行程で形成可能である。
【００４８】
上述のディスクカートリッジ２１０によれば、図８に示す「ディスク取り出し方向」に光ディスクＤをスライドさせることで、カートリッジ２１０から光ディスクＤを取り出すことができる。光ディスクＤをディスクカートリッジ２１０にセット（装填）する場合は、図８に示す矢印（ディスク取り出し方向）の逆方向に、光ディスクＤをスライドさせることで、光ディスクＤを、主壁２１１と側壁２１２とにより定義される空間に、容易に装着できる。
【００４９】
なお、光ディスクＤをディスクカートリッジ２１０から取り出す、またはディスクカートリッジ２１０に光ディスクＤを装填する、いずれの場合においても、側壁２１２と一体的に形成されているディスクホールディング爪２１３Ａ，２１３Ｂとハンドリング用突出部２１４により、光ディスクＤが主壁２１１と側壁２１２とにより定義される空間から不所望に落下（離脱）することが抑止でき、特に屋外で光ディスクＤを交換する場合等において、記録データに損傷が生じ、または記録されている情報の信頼性が低下されることが防止できる。また、光ディスクＤの記録面には通常、ハードコーティングが施されているので、一般的な使用条件では、記録面とディスクホールディング爪２１３Ａ，２１３Ｂまたはハンドリング用突出部２１４もしくはその両方と接触したとしても、光ディスクＤに記録されている情報に悪影響が生じることはほとんどない。
【００５０】
また、図９に示すように、主壁２１１、側壁２１２、ディスクホールディング爪２１３Ａ，２１３Ｂあるいはハンドリング部２１４およびそれらにより定義される空間で光ディスクＤの記録面と接する可能性のある領域２１６は、例えば不織布または合成皮革等を貼り付けられることで、もしくは光ディスクＤの記録面に傷が生じることを防止可能な材料がコーティングまたは塗布されることにより、光ディスクＤに不所望な傷が発生することが、確実に抑止できる。なお、カートリッジ２１０を成型する際に、光ディスクＤの記録面が接する可能性のある領域に、予め植毛加工を施してもよいことはいうまでもない。
【００５１】
また、図１０に示すように、ディスクホールディング爪２１３Ａ，２１３Ｂが設けられる位置に対向される主壁２１１に、成型時の金型、特に入れ子の動作方向を定義する抜き（クリアランス部）２１７ａ，２１７ｂを設けることで、成型用に用いられる金型の自由度が増大でき、図示しない成型装置のコストを低減できる。なお、ハンドリング部に対応する主壁２１１についてもクリアランス部を設けることは可能であるが、ハンドリング部２１４には、利用者の指が光ディスクＤに触れることを抑止可能な大きさが必要とされることから、クリアランス部（抜き）の大きさが、不所望に大きくなる虞れがある。このため、クリアランス部の大きさおよび個数は、金型の自由度とコストに応じて、任意に設定される。
【００５２】
以上説明した通り、本発明のディスクカートリッジにおいては、記録媒体である光ディスクの出し入れが容易で、しかも光ディスクの記録面に利用者の指紋が付着し、あるいは不所望な傷が生じることが大幅に抑止できる。
【００５３】
なお、この発明は、上述した実施の形態に限定されることなく、この発明の範囲内で種々変形可能である。例えば、ディスクホールディング爪の配置位置および配置数もしくは形状等は、任意に設定できることは言うまでもない。
【００５４】
【発明の効果】
以上詳述したように、本発明によれば、記録媒体である光ディスクを、確実に、かつ容易に保持して取り出すことができ、記録データに損傷が生じ、もしくは記録されている情報の信頼性が低下されることが防止できる。しかも、ディスクがセットされているカートリッジを光ディスク装置に装着し、または光ディスク装置から取り出す際の装着方向および取り出し方向が制限を受けることもない。
【００５５】
また、本ディスクカートリッジは、インジェクション成型により、１ピースで形成可能であるから、大幅にコストが低減される。
【図面の簡単な説明】
【図１】この発明の実施の形態であるディスクカートリッジを説明する概略図。
【図２】図１に示したディスクカートリッジに記録媒体である光ディスクが装着された状態を説明する概略図。
【図３】図１および図２に示したディスクカートリッジから光ディスクを取り出し、またはカートリッジに光ディスクをセットする状態を説明する概略図。
【図４】図１および図２に示したディスクカートリッジの変形例を説明する概略図。
【図５】図１および図２に示したディスクカートリッジのさらに別の変形例を説明する概略図。
【図６】この発明の他の実施の形態であるディスクカートリッジを説明する概略図。
【図７】図６に示したディスクカートリッジに記録媒体である光ディスクが装着された状態を説明する概略図。
【図８】図６および図７に示したディスクカートリッジから光ディスクを取り出し、またはカートリッジに光ディスクをセットする状態を説明する概略図。
【図９】図６および図７に示したディスクカートリッジの変形例を説明する概略図。
【図１０】図６および図７に示したディスクカートリッジのさらに別の変形例を説明する概略図。
【符号の説明】
１１０，２１０…光ディスクカートリッジ、１１１，２１１…主壁、１１２，２１２…側壁、１１３，２１３Ａ，２１３Ｂ…ディスクホールディング爪、１１４Ａ，１１４Ｂ，２１４…ハンドリング部、１１５，２１５…開口部（アクセス窓）、１１６，２１６…ディスク保護領域、１１７，２１７ａ，２１７ｂ…抜き（クリアランス部）、Ｄ…光ディスク。
【図１】
2004213757.tif 000003
【図２】
2004213757.tif 000004
【図３】
2004213757.tif 000005
【図４】
2004213757.tif 000006
【図５】
2004213757.tif 000007
【図６】
2004213757.tif 000008
【図７】
2004213757.tif 000009
【図８】
2004213757.tif 000010
【図９】
2004213757.tif 000011
【図１０】
2004213757.tif 000012